(57)【要約】【課題】任意の媒体に記録された映像信号のＤＶＤ等への保存記録を行う。【解決手段】画面の上部に表題が表示され、その下に操作手順として「外部機器の電源を入れ映像の再生準備をしてください。」が表示される。さらに、設定項目の説明として「入力：選択した入力元から映像をＨＤＤに取り込みます。」と、「チャプター：指定した間隔でチャプターを作成します。」と、「ＯＦＦタイマー：指定した時間経過後に本体の電源をＯＦＦにします。」が表示される。また、設定項目の説明の下には、実際の設定項目の「入力元、チャプター、ＯＦＦタイマー」の項目名と、その設定内容が表示される。そして操作手順として「確定と同時に、本機につないだ機器の再生を開始してください。」と、「確定」の釦が表示される。さらに、画面の下部には、リモートコントロール装置（図示せず）の操作の説明の文言が表示される。【選択図】        図４
2004260452.tif 000002
【特許請求の範囲】
【請求項１】
複数の入力映像信号から、記録保存する映像信号を選択する入力選択手段と、
前記選択された映像信号を記録する記録時間を計測するタイマー手段と、
前記選択された映像信号を前記記録時間に渡り記録保存する記憶手段と、
前記映像信号の選択指定及び前記記録時間の設定を一画面で入力するための設定画面を生成し、該設定画面の入力結果を前記入力選択手段とタイマー手段に設定する録画設定手段と
を備えたことを特徴とする映像記録装置。
【請求項２】
前記選択された映像信号に所定の時間間隔で所定の区切れ情報（以下、チャプターと呼ぶ）を挿入するチャプター挿入手段をさらに備え、
前記録画設定手段は、前記映像信号の選択指定と、前記チャプター挿入の時間間隔及び前記記録時間の設定を一画面で入力するための設定画面を生成し、該設定画面の入力結果を前記入力選択手段とチャプター挿入手段とタイマー手段に設定する構成とされた
ことを特徴とする請求項１に記載の映像記録装置。
【請求項３】
前記チャプターが挿入された各時点の画像情報を抽出し、各画像情報を前記記憶手段に保存すると共に、各画像情報を縮小して所定の順序に並べて表示するサムネイル表示手段をさらに備える構成とされた
ことを特徴とする請求項２記載の映像記録装置。
【請求項４】
前記選択された映像信号がアナログ信号である場合には、該映像信号をアナログ−デジタル変換して前記記憶手段に出力する信号変換手段をさらに備えた
ことを特徴とする請求項１ないし請求項３の何れかに記載の映像記録装置。
【請求項５】
前記記憶手段は、ハードディスクドライブを用いる構成とされた
ことを特徴とする請求項１ないし請求項４の何れかに記載の映像記録装置。
【請求項６】
複数の入力映像信号から、記録保存する映像信号を選択し、
前記選択された映像信号を記録する記録時間を計測し、
前記選択された映像信号を前記記録時間に渡り記録保存し、
前記映像信号の選択指定及び前記記録時間の設定を一画面で入力するための設定画面を生成し、該設定画面の入力結果に応じて前記記録保存する映像信号と前記記録時間を設定する
ことを特徴とする映像記録方法。
【請求項７】
前記選択された映像信号に所定の時間間隔で所定の区切れ情報（以下、チャプターと呼ぶ）を挿入し、
前記映像信号の選択指定と、前記チャプター挿入の時間間隔及び前記記録時間の設定を一画面で入力するための設定画面を生成し、該設定画面の入力結果に応じて前記記録保存する映像信号と前記チャプター挿入の時間間隔と前記記録時間を設定する
ことを特徴とする請求項６に記載の映像記録方法。
【発明の詳細な説明】
【０００１】
【発明の属する技術分野】
本発明は、例えばＨＤＤ（Ｈａｒｄ  Ｄｉｓｋ  Ｄｒｉｖｅ）を内蔵して、ＤＶＤ（Ｄｉｇｉｔａｌ  Ｖｅｒｓａｔｉｌｅ  Ｄｉｓｋ）等に映像信号を記録する際に使用して好適な記録装置及び記録方法に関する。詳しくは、記録される映像信号の内容が容易に判断できるようにしたものである。
【０００２】
【従来の技術】
例えばＨＤＤ（Ｈａｒｄ  Ｄｉｓｋ  Ｄｒｉｖｅ）を内蔵して、ＤＶＤ（Ｄｉｇｉｔａｌ  Ｖｅｒｓａｔｉｌｅ  Ｄｉｓｋ）等に映像信号を記録する記録装置はすでに知られている（例えば、特許文献１、２参照。）。
【０００３】
【特許文献１】
特開２００２−２７４１０号公報
【特許文献２】
特開２００２−７７７９９号公報
【０００４】
【発明が解決しようとする課題】
本発明は、例えば古いテープメディアに記録された映像のデジタル保存を容易に行うことを目的とする。このような目的を実現する手段として、例えばＨＤＤ（Ｈａｒｄ  Ｄｉｓｋ  Ｄｒｉｖｅ）を内蔵して、ＤＶＤ（Ｄｉｇｉｔａｌ  Ｖｅｒｓａｔｉｌｅ  Ｄｉｓｋ）等に映像信号を記録する記録装置はすでに知られている。しかしながらこのような装置においては、例えば操作が煩雑である、あるいは自動化されすぎているために、使用者の希望する操作が実現できないなどの問題を有する
【０００５】
この出願はこのような点に鑑みて成されたものであって、解決しようとする問題点は、従来の装置では、容易に使用者の希望する操作を実現ですることができなかったというものである。
【０００６】
【課題を解決するための手段】
このため本発明においては、映像信号を保存記録する際に任意の時間間隔で画像を抽出できるようにすると共に、入力元の選択と時間間隔と装置の動作時間とを一括の設定画面で設定できるようにしたものであって、これによれば、極めて容易にハードディスクを介して映像信号のＤＶＤ等の記録媒体への保存を行うことができる。
【０００７】
【発明の実施の形態】
すなわち本発明の第１の形態は、複数の入力映像信号から、記録保存する映像信号を選択する入力選択手段と、選択された映像信号を記録する記録時間を計測するタイマー手段と、選択された映像信号を記録時間に渡り記録保存する記憶手段と、映像信号の選択指定及び記録時間の設定を一画面で入力するための設定画面を生成し、該設定画面の入力結果を入力選択手段とタイマー手段に設定する録画設定手段とを備えてなるものである。
【０００８】
また、本発明の第２の形態は、複数の入力映像信号から、記録保存する映像信号を選択し、選択された映像信号を記録する記録時間を計測し、選択された映像信号を記録時間に渡り記録保存し、映像信号の選択指定及び記録時間の設定を一画面で入力するための設定画面を生成し、該設定画面の入力結果に応じて記録保存する映像信号と記録時間を設定してなるものである。
【０００９】
以下、図面を参照して本発明を説明するに、図１は本発明による記録装置及び記録方法を適用したＨＤＤ内蔵ＤＶＤレコーダーを含む全体のシステムの一実施形態の構成を示すブロック図である。
【００１０】
図１において、映像信号の再生入力装置として、例えばベータ方式、ＶＨＳ方式、８ミリ方式のようなアナログ映像信号を再生するＶＴＲ１が、録画機としてのＨＤＤ内蔵ＤＶＤレコーダーの入力１とされる。また、同じくアナログ映像信号を再生するＶＴＲ２が、ＨＤＤ内蔵ＤＶＤレコーダーの入力２とされる。さらにデジタル映像信号を再生するデジタルＶＴＲが、ＨＤＤ内蔵ＤＶＤレコーダーのデジタルビデオ（ＤＶ）入力とされる。
【００１１】
ＨＤＤ内蔵ＤＶＤレコーダーにおいては、図２に示すように、入力１の接続される端子１と、入力２の接続される端子２とは時間軸補正手段３を介してエンコーダー４に接続される。また、ＤＶ入力の接続されるＤＶ端子５は直接にエンコーダー４に接続される。さらに、エンコーダー４はＨＤＤ（Ｈａｒｄ  Ｄｉｓｋ  Ｄｒｉｖｅ）６に接続される。そしてＨＤＤ６がＤＶＤ（Ｄｉｇｉｔａｌ  Ｖｅｒｓａｔｉｌｅ  Ｄｉｓｋ）７に接続される。
【００１２】
また、任意の時間間隔で画像を抽出するための間隔指定手段８と、装置の動作時間を設定するための指定時間経過後自動記録停止手段９がＨＤＤ６に接続される。そして、この構成において、端子１、端子２、ＤＶ端子５を選択する入力端子選択と、間隔指定手段８での時間間隔を設定するチャプター作成、及び自動記録停止手段９の時間を設定するタイマー制御は、使用者による設定が可能にされるものである。
【００１３】
そこで、任意の表示手段に、例えば図３に示すような設定画面が表示される。すなわち図３において、左端の「入力元」では、端子１を示す「Ｌｉｎｅ  １」と、端子２を示す「Ｌｉｎｅ  ２」と、ＤＶ端子を示す「ＤＶ」の各項目が順次選択される。また、中央の「チャプター」では、例えば画像を抽出する間隔を５分に設定する「５分間隔」と、１０分に設定する「１０分間隔」と、１５分に設定する「１５分間隔」と、画像抽出を行わない「ＯＦＦ」の各項目が順次選択される。
【００１４】
さらに、右端の「ＯＦＦタイマー」では、例えば「３０分後」から「最大１２Ｈ」までの時間が、例えば３０分間隔で設定されると共に、自動記録停止時間の設定を行わない「ＯＦＦ」の各項目が順次選択される。そして、中央下の「確定：録画開始」が操作されると、端子１または端子２またはＤＶ端子に供給される映像信号のＨＤＤへの記録が開始される。
【００１５】
なお、図４には、上述の設定画面の具体的な構成を示す。この画面は、例えばＨＤＤ内蔵ＤＶＤレコーダーに接続されるモニター受像機（図示せず）に表示されるものである。また、操作は、例えばＨＤＤ内蔵ＤＶＤレコーダーに付属されるリモートコントロール装置（図示せず）によって行われるものである。
【００１６】
そこで、図４においては、画面の上部に表題として「外部入力⇒ＨＤＤ  ビデオ  共通」と表示され、その下に操作手順として「外部機器の電源を入れ映像の再生準備をしてください。」が表示される。さらに、設定項目の説明として「入力：選択した入力元から映像をＨＤＤに取り込みます。」と、「チャプター：指定した間隔でチャプターを作成します。」と、「ＯＦＦタイマー：指定した時間経過後に本体の電源をＯＦＦにします。」が表示される。
【００１７】
また、設定項目の説明の下には、実際の設定項目の「入力元、チャプター、ＯＦＦタイマー」の項目名と、その設定内容が表示される。なお、図示では「入力１、５分間隔、１Ｈ３０Ｍ（１時間３０分）後」が設定されているものである。そして操作手順として「確定と同時に、本機につないだ機器の再生を開始してください。」と、「確定」の釦が表示される。
【００１８】
さらに、画面の下部には、リモートコントロール装置（図示せず）の操作の説明として、「（十字キーのマーク）で選択」「（決定キーのマーク）で決定」、及び「（戻るキーのマーク）で戻る」の文言が表示される。
【００１９】
そしてこのような設定画面で設定が行われて、「確定」釦が操作されると、図５に示すように動作が行われる。すなわち図５において、左側の外部機器であるＶＴＲ１、ＶＴＲ２、デジタルＶＴＲはマニュアルで再生スタートされる。これにより、右側のＨＤＤ内蔵ＤＶＤレコーダーに向けて、等速または倍速での映像及び音声信号のダビングが開始される。このとき、入力がアナログ映像信号の場合にはデジタルＴＢＣ（時間軸補正装置）による原画の安定化が施される。
【００２０】
一方、ＨＤＤ内蔵ＤＶＤレコーダーは、先に記録開始（ＲＥＣ  ＳＴＡＲＴ）されて、供給される映像及び音声信号の記録が行われる。そして、ＨＤＤ内蔵ＤＶＤレコーダーは、先に設定された時間後に自動的に電源がオフ（Ａｕｔｏ  Ｐｏｗｅｒ  ＯＦＦ）される。なお、ＶＴＲ１、ＶＴＲ２、デジタルＶＴＲは、ダビングの終了後にマニュアルで電源がオフ（Ｐｏｗｅｒ  ＯＦＦ）される。
【００２１】
さらに上述のダビングと共に、先に設定された時間間隔でチャプターが作成され、映像信号の画像が抽出される。そしてＨＤＤ内蔵ＤＶＤレコーダーに内蔵されたＨＤＤへの記録が終了すると、例えば図６に示すような画面が表示される。ここで画面の上部には、表題として「編集作業画面」と表示され、その下に上述の抽出された画像が縮小され、サムネイル画像として並べて表示される。すなわちこの画像は、取り込んだ映像を、一定間隔のチャプターでテープの中身を確認するものである。
【００２２】
そして「選択」釦が設けられ、上述の並べられた画像に対する「保存用」「不要」の選択が行われる。さらに保存用とされた画像は、画面の下側に並べて表示される。そして「確定」釦が設けられ、これが操作されると、選択された画像を含むチャプターがＨＤＤからＤＶＤに記録される。すなわち下側の画像は、ＤＶＤに保存するチャプターを選択するものである。なお、「確定」釦と並んで「中止」釦も設けられる。
【００２３】
すなわち、この実施形態において、ＨＤＤ内蔵ＤＶＤレコーダーに外部入力された映像を、補正を行いながらＨＤＤにデジタル記録する。その過程において、取り込んだ映像の内容を容易に確認できるように、任意の間隔でサムネイル画像付きのチャプターを作成する。これによれば、チャプターの区切りの点がサムネイル表示されることにより、取り込んだ映像の内容は容易に確認することができる。
【００２４】
そしてさらに、録画機がチャプター単位での編集機能を有することにより、編集作業を容易に行うことができる。そして編集された映像は、ＨＤＤからＤＶＤへ容易にコピーすることができ、古いテープメディアから最新のＤＶＤデジタルメディアへの一連の保存作業を容易に実現できるものである。
【００２５】
従って上述の実施形態において、映像信号を保存記録する際に任意の時間間隔で画像を抽出できるようにすると共に、入力元の選択と時間間隔と装置の動作時間とを一括の設定画面で設定できるようにしたものであって、これによれば、極めて容易にハードディスクを介して映像信号のＤＶＤ等の記録媒体への保存を行うことができる。
【００２６】
これによって、従来の装置では、例えば操作が煩雑である、あるいは自動化されすぎているために、使用者の希望する操作が実現できないなどの問題を有していたものを、本発明によればこれらの問題点を容易に解消することができるものである。
【００２７】
なお本発明は、上述の説明した実施の形態に限定されるものではなく、本発明の精神を逸脱することなく種々の変形が可能とされるものである。
【００２８】
【発明の効果】
従って請求項１の発明によれば、映像信号を保存記録する際に任意の時間間隔で画像を抽出できるようにすると共に、入力元の選択と時間間隔と装置の動作時間とを一括の設定画面で設定できるようにしたものであって、これによれば、極めて容易にハードディスクを介して映像信号のＤＶＤ等の記録媒体への保存を行うことができるものである。
【００２９】
また、請求項２の発明によれば、選択された映像信号に所定の時間間隔で所定の区切れ情報（以下、チャプターと呼ぶ）を挿入するチャプター挿入手段をさらに備え、録画設定手段は、映像信号の選択指定と、チャプター挿入の時間間隔及び記録時間の設定を一画面で入力するための設定画面を生成し、該設定画面の入力結果を入力選択手段とチャプター挿入手段とタイマー手段に設定する構成とされたことによって、チャプターに基づく極めて良好な記録を行うことができるものである。
【００３０】
また、請求項３の発明によれば、チャプターが挿入された各時点の画像情報を抽出し、各画像情報を記憶手段に保存すると共に、各画像情報を縮小して所定の順序に並べて表示するサムネイル表示手段をさらに備える構成とされたことによって、保存の際の編集を容易に行うことができるものである。
【００３１】
さらに請求項４の発明によれば、映像信号をハードディスクに記録する際に任意の時間間隔で画像を抽出できるようにすると共に、入力元の選択と時間間隔と装置の動作時間とを一括の設定画面で設定できるようにしたものであって、これによれば、極めて容易にハードディスクを介して映像信号のＤＶＤ等の記録媒体への保存を行うことができるものである。
【００３２】
また、請求項５の発明によれば、選択された映像信号がアナログ信号である場合には、映像信号をアナログ−デジタル変換して記憶手段に出力する信号変換手段をさらに備えたことによって、極めて良好な記録を行うことができるものである。
【００３３】
また、請求項６の発明によれば、映像信号を保存記録する際に任意の時間間隔で画像を抽出できるようにすると共に、入力元の選択と時間間隔と装置の動作時間とを一括の設定画面で設定できるようにしたものであって、これによれば、極めて容易にハードディスクを介して映像信号のＤＶＤ等の記録媒体への保存を行うことができるものである。
【００３４】
また、請求項７の発明によれば、選択された映像信号に所定の時間間隔で所定の区切れ情報（以下、チャプターと呼ぶ）を挿入し、映像信号の選択指定と、チャプター挿入の時間間隔及び記録時間の設定を一画面で入力するための設定画面を生成し、該設定画面の入力結果に応じて記録保存する映像信号とチャプター挿入の時間間隔と記録時間を設定することによって、保存の際の編集を容易に行うことができるものである。
【００３５】
これによって、従来の装置では、例えば操作が煩雑である、あるいは自動化されすぎているために、使用者の希望する操作が実現できないなどの問題を有していたものを、本発明によればこれらの問題点を容易に解消することができるものである。
【図面の簡単な説明】
【図１】本発明による記録装置及び記録方法を適用したＨＤＤ内蔵ＤＶＤレコーダーを含む全体のシステムの一実施形態の構成を示すブロック図である。
【図２】ＨＤＤ内蔵ＤＶＤレコーダーの一実施形態の構成を示すブロック図である。
【図３】その設定画面の説明のための図である。
【図４】設定画面の具体的な構成を示す図である。
【図５】その動作の説明のための図である。
【図６】編集作業画面の具体的な構成を示す図である。
【符号の説明】
１，２…端子、３…時間軸補正手段、４…エンコーダー、５…ＤＶ端子、６…ＨＤＤ（Ｈａｒｄ  Ｄｉｓｋ  Ｄｒｉｖｅ）、７…ＤＶＤ（Ｄｉｇｉｔａｌ  Ｖｅｒｓａｔｉｌｅ  Ｄｉｓｋ）、８…間隔指定手段、９…自動記録停止手段
【図１】
2004260452.tif 000003
【図２】
2004260452.tif 000004
【図３】
2004260452.tif 000005
【図４】
2004260452.tif 000006
【図５】
2004260452.tif 000007
【図６】
2004260452.tif 000008